(57)【要約】【課題】大型化やピッチ間隔の拡大を避けつつポゴピンに代表される構造のコンタクトを確実に接触させる。【解決手段】コネクタ１００は、ハウジング１０と、ハウジング１０に圧入された第１コンタクト２０と、ハウジング１０にインサート成形された第２コンタクト３０とを備えている。第１コンタクト２０はポゴピンであり、前方に棒状に突き出た形状を有し平板状の相手接点に接触して相手接点に押されることで突出量を減じる第１接触部２２を有する。第２コンタクト３０は、突き出た形状の相手接点に接触する平板状の第２接触部３２を有する。第２接触部３２は、ハウジング１０の突部１１２に設けられた第２開口１１３内の奥まった位置に配置されている。コネクタ１００を２つ用意して互いに組み合わせる。すると、第１コンタクト２０の第１接触部２２は、第２開口１１３に案内されて第２開口１１３内に入り込み、第２接触部３２に接触する。【選択図】図３
2017204352.tif 000002
【特許請求の範囲】
【請求項１】
第１ハウジングと、
前方に突き出た形状を有し平板状の相手接点に接触して該相手接点に押されることで突出量を減じる第１接触部および該第１接触部の後方に位置し該第１接触部に押されて弾性的に撓むばね部を有し該第１ハウジングに支持された第１コンタクトと、
第２ハウジングと、
突き出た形状の相手接点に接触する平板状の第２接触部を有し前記第２ハウジングにインサート成形された第２コンタクトとを備え、
前記第２ハウジングが、突き出た形状の相手接点を案内する案内凹部を有し、前記第２接触部が、該案内凹部内に案内された相手接点に接触する位置に配置されていることを特徴とするコネクタ。
【請求項２】
前記第１ハウジングと前記第２ハウジングが１つの成形部品からなる一体のハウジングであって、前記第１接触部と前記第２接触部が、当該コネクタを２つ用意したときに、一方のコネクタの前記第１接触部と他方のコネクタの前記第２接触部とが互いに対面して、互いを、互いに接触する相手接点とする姿勢に向き合わせ可能に配置されていることを特徴とする請求項１に記載のコネクタ。
【請求項３】
前記第１ハウジングと前記第２ハウジングが互いに別体であって、当該コネクタは、前記第１接触部と前記第２接触部を互いに接触する相手接点とする一対のコネクタであることを特徴とする請求項１に記載のコネクタ。
【発明の詳細な説明】
【技術分野】
【０００１】
本発明は、いわゆるポゴピンに代表される、棒状に突き出た形状を有しばね付勢されたコンタクトを備えたコネクタに関する。
【背景技術】
【０００２】
いわゆるポゴピンを使ったコネクタが知られている。例えば、特許文献１には、ポゴピン型の第１コンタクトピンと板状の密封要素に固定された第２コンタクトピンとを有するコネクタが開示されている。
【先行技術文献】
【特許文献】
【０００３】
【特許文献１】特表２０１２−５２０５３７号公報
【発明の概要】
【発明が解決しようとする課題】
【０００４】
ポゴピンは、ハウジングから棒状に突き出た姿勢となるように、例えば圧入等によりハウジングに固定される。このため、ポゴピンの向きが僅かでも狂ったまま圧入等がなされると、ポゴピンの突き出た先端ではその狂いが増幅されて、ポゴピンの先端位置が大きくずれることになる。このため、ポゴピンの接触相手である端子にポゴピンを確実に接触させるために、その端子の面積を広げるなど、ポゴピンの先端位置に大きな誤差があってもそのポゴピンを確実に接触させる工夫が必要となる。しかしながら、端子の面積を広げることで確実な接触を図ろうとすると、ポゴピンや端子の配列ピッチを広げる必要があり、小型化、小ピッチ化の要請に反することになる。
【０００５】
本発明は、上記事情に鑑み、大型化やピッチ間隔の拡大を避けつつ、いわゆるポゴピンに代表される構造のコンタクトを確実に接触させる構造を備えたコネクタを提供することを目的とする。
【課題を解決するための手段】
【０００６】
上記目的を達成するための本発明のコネクタは、
第１ハウジングと、
前方に突き出た形状を有し平板状の相手接点に接触して相手接点に押されることで突出量を減じる第１接触部およびその第１接触部の後方に位置し第１接触部に押されて弾性的に撓むばね部を有し第１ハウジングに支持された第１コンタクトと、
第２ハウジングと、
突き出た形状の相手接点に接触する平板状の第２接触部を有し第２ハウジングに支持された第２コンタクトとを備え、
第２ハウジングが、突き出た形状の相手接点を案内する案内凹部を有し、第２接触部が、案内凹部内に案内された相手接点に接触する位置に配置されていることを特徴とする。
【０００７】
本発明によれば、突き出た形状の相手接点が上記の案内凹部により案内されるため、大型化やピッチ間隔の拡大を避けつつ、突き出た形状の相手接点を確実に接触させるコネクタが実現する。
【０００８】
ここで、本発明のコネクタにおいて、上記第１ハウジングと上記第２ハウジングが１つの成形部品からなる一体のハウジングであって、第１接触部と第２接触部が、このコネクタを２つ用意したときに、一方のコネクタの第１接触部と他方のコネクタの第２接触部とが互いに対面して、互いを、互いに接触する相手接点とする姿勢に向き合わせ可能に配置されていることが好ましい。
【０００９】
この好ましい形態によれば、互いに異なる形状の一対のコネクタの場合と比べ、製造工程の簡素化、部品管理の簡素化が実現する。
【００１０】
また、本発明のコネクタは、上記第１ハウジングと上記第２ハウジングが互いに別体であって、第１接触部と第２接触部を互いに接触する相手接点とする一対のコネクタであってもよい。
【００１１】
本発明は、このように、第１ハウジングと第２ハウジングを別体とし、互いに嵌合する２つのコネクタとして構成することも可能である。
【発明の効果】
【００１２】
上記の本発明のコネクタによれば、突き出た形状の第１接触部が上記の案内凹部により案内されて第２接触部に接触するため、大型化やピッチ間隔の拡大を避けつつ、第１接触部を第２接触部に確実に接触させることができる。
【図面の簡単な説明】
【００１３】
【図１】本発明の一実施形態としてのコネクタの斜視図である。
【図２】図１に斜視図を示す２つのコネクタの平面図（Ａ）と側面図（Ｂ）である。
【図３】図２に示す矢印Ａ−Ａに沿う断面図である。
【図４】図２に示す矢印Ｂ−Ｂに沿う断面図である。
【発明を実施するための形態】
【００１４】
以下、本発明の実施の形態について説明する。
【００１５】
図１は、本発明の一実施形態としてのコネクタの斜視図である。ここで、図１（Ａ）は、互いに嵌合する姿勢に配置された、嵌合する前の状態の２つのコネクタを示している。また、図１（Ｂ）は、互いに嵌合した状態の２つのコネクタを示している。ここで、この図１に示す、互いに嵌合する２つのコネクタは、互いに同型のコネクタである。そこで、ここでは、これら２つのコネクタを区別せずに、いずれもコネクタ１００と称する。
【００１６】
このコネクタ１００は、ハウジング１０と、第１コンタクト２０と、第２コンタクト３０とを備えている。第１コンタクト２０と第２コンタクト３０は、交互に配列されている。そして、第１コンタクト２０は、ハウジング１０の嵌合部１１の前面に設けられている第１開口１１１から、嵌合相手である他方のコネクタ１００に向かって突き出ている。また、第２コンタクト３０は、ハウジング１０の嵌合部１１の、前方に突き出た突部１１２に設けられた第２開口１１３の奥まった位置に配列されていて、他方のコネクタ１００に向かって対面している。この第２開口１１３は、本発明にいう案内凹部の一例に相当する。
【００１７】
このコネクタ１００は、回路基板２００と、この図１に示す姿勢に組み合わされる。第１コンタクト２０には、後述するばね片４１（図３参照）が接し、そのばね片４１の第２端部４１２が、回路基板２００に接している。これにより、第１コンタクト２０は、そのばね片４１を介して、回路基板２００と電気的に接続されている。また、第２コンタクト３０は基板接続部３１を有し、その基板接続部３１が回路基板２００と電気的に接している。
【００１８】
図２は、図１に斜視図を示す２つのコネクタの平面図（Ａ）と側面図（Ｂ）である。この図２には、図１（Ａ）と同様の、互いに嵌合する姿勢に配置された、嵌合する前の状態の２つのコネクタが示されている。
【００１９】
このコネクタ１００には、第１コンタクト２０と第２コンタクト３０が交互に配置されている。このため、同型のコネクタ１００を２つ用意して互いに向き合わせると、この図２に示すように、第１コンタクト２０と第２コンタクト３０とが互いに対面した姿勢となる。この図２には、第２コンタクト３０は直接には示されていないが、内側に第２コンタクト３０が配置された突部１１２が示されている。
【００２０】
図３は、図２に示す矢印Ａ−Ａに沿う断面図である。ここで、図３（Ａ）は、互いに嵌合する姿勢に配置された、嵌合する前の状態の２つのコネクタの断面図である。また、図３（Ｂ）は、互いに嵌合した状態の２つのコネクタの断面図である。この図３では、図示の分かり易さのため、図２よりも拡大して示している。
【００２１】
また、図４は、図２に示す矢印Ｂ−Ｂに沿う断面図である。ただし、第２コンタクト３０は、断面されていない。ここで、図４（Ａ）は、図３（Ａ）と同様、互いに嵌合する姿勢に配置された、嵌合する前の状態の２つのコネクタの断面図である。また、図４（Ｂ）は、図３（Ｂ）と同様、互いに嵌合した状態の２つのコネクタの断面図である。この図４では、コネクタ１００の断面全域を示すために、図２よりも縮小して示している。
【００２２】
第１コンタクト２０は、いわゆるポゴピンであって、ハウジング１０に圧入により固定されている。この第１コンタクト２０は、棒状に延びた形状を有する第１接触部２２を備えている。この第１接触部２２は、ハウジング１０の前面よりもさらに前方（図３の右方）に突出している。この第１接触部２２は、その後端部が筒形状の基部２３の中に入り込んでいる。この基部２３には不図示のばね部材が内蔵されていて、第１接触部２２は、突出の向き（図３の右方）に付勢されている。そして、この第１接触部２２は、平板状の相手接点に接触して相手接点に押され、基部２３内に入り込む向き（図３の左方）に移動してその突出量を減じる。
【００２３】
また、このコネクタ１００には、ばね片４１が備えられている。このばね片４１の第１端部４１１は、第１コンタクト２０に所定の接触圧で接していて、第２端部４１２は、ハウジング１０の後方に突き出ている。そして、この第２端部４１２が、第１コンタクト２０の基板接続部としての役割を成している。すなわち、ばね片４１の第２端部４１２は、回路基板２００（図１参照）に接し、これにより、ばね片４１を介して、第１コンタクト２０と回路基板２００とが電気的に接続されている。
【００２４】
また、このコネクタ１００の第２コンタクト３０は、ハウジング１０にインサート成形されたコンタクトである。この第２コンタクト３０は、ハウジング１０の嵌合部１１に設けられている第２開口１１３内に配置された平板状の第２接触部３２を有する。この第２コンタクト３０は、その第２接触部３２から後方に延び、後端部がハウジング１０の後方に突き出て基板接続部３１を形成している。すなわち、この基板接続部３１が回路基板２００（図１参照）に接することにより、第２コンタクト３０と回路基板２００が電気的に接続されている。
【００２５】
ここで、このコネクタ１００は、同型のコネクタ１００を２つ用意し、一方のコネクタ１００の第１接触部２２と他方のコネクタ１００の第２接触部３２とを互いに対面させて、互いを、互いに接触する相手接点とするコネクタである。
【００２６】
第１コンタクト２０の第１接触部２２は、一方のハウジング１０の第１開口部１１１内に配置され、その第１開口部１１１から、向き合った他方のコネクタ１００に向かって突き出ている。この第１開口１１１は、他方のハウジング１０の突部１１２が入り込むだけの径を有する。また、第２コンタクト３０の第２接触部３２は、他方のハウジング１０の突部１１２に設けられている第２開口１１３内の、その突部１１２の先端よりも引っ込んだ位置に配置されている。このため、２つのコネクタ１００を、図３（Ｂ），図４（Ｂ）に示すように互いに組み合わせると、他方のハウジング１０の突部１１２が一方のハウジング１０の第１開口１１１内に入り込む。また、これとともに、第１コンタクト２０の、棒状に延びた第１接触部２２が、他方のハウジング１０の第２開口１１３内に入り込んで第２接触部３２に接触する。そして、第１接触部２２は、第２接触部３２に接触して基部２３内に押し込まれ、その突出量を減じる。すると、この第１接触部２２はばね付勢されているため、第１接触部２２と第２接触部３２が所定の接触圧で接触する。
【００２７】
ここで、第１コンタクト２０が一方のハウジング１０に僅かに斜めに圧入されたことを考える。その場合であっても、第１コンタクト２０の第１接触部２２は、他方のハウジング１０の第２開口１１３に案内され、第２接触部３２に確実に接触する。このように、本実施形態のコネクタ１００は、第１コンタクト２０の第１接触部２２が他方のハウジング１０の第２開口１１３に案内されて第２コンタクト３０の第２接触部３２に接触する構造を有する。このため、本実施形態のコネクタ１００によれば、大型化やコンタクトの配列ピッチの拡大を避けつつ、第１コンタクト２０と第２コンタクト３０の確実な導通が実現する。
【００２８】
上記の通り、本実施形態のコネクタ１００には、第１コンタクト２０と第２コンタクト３０が交互に３つずつ配列されている。ただし、本発明のコネクタにおいて、この配列の個数は３つずつに限られるものではなく、１つずつ、２つずつ、あるいは４つずつなど、任意の個数配列されたものであってもよい。
【００２９】
また、本実施形態のコネクタ１００には、第１コンタクト２０と第２コンタクト３０が交互に配列されている。ただし、本発明のコネクタにおいて、第１コンタクト２０と第２コンタクト３０の配列は交互である必要はない。例えば、第１コンタクト２０を３つ配列し、その第１コンタクト２０の配列の隣に第２コンタクト３０を３つ配列してもよい。その場合も、同型のコネクタを２つ用意して向かい合わせ、第１コンタクト２０と第２コンタクト３０を互いに対面させることができる。
【００３０】
さらに、本実施形態のコネクタ１００には、第１コンタクト２０と第２コンタクト３０が１列に配列されている。ただし、本発明のコネクタにおいて、第１コンタクト２０と第２コンタクト３０の配列は１列である必要はない。例えば、２列あるいは３列等、複数列配列されていてもよい。
【００３１】
さらに、本実施形態のコネクタ１００は、第１コンタクト２０と第２コンタクト３０の双方を１つのハウジング１０内に備えたコネクタである。ただし、本発明のコネクタは、一方のハウジング（第１ハウジング）に第１コンタクト２０のみを配列し、他方のハウジング（第２ハウジング）に第２コンタクト３０のみを配列してもよい。このようにハウジングを分けた構成の場合も、第１コンタクト２０と第２コンタクト３０を対面させることができる。第１ハウジングに第１コンタクト２０のみを配列し、第２ハウジングに第２コンタクト３０のみを配列する構成は、上述の実施形態のコネクタ１００の説明および図面から自明である。したがって、第１ハウジングと第２ハウジングとに分けた構成についての、これ以上の説明は省略する。
【符号の説明】
【００３２】
１０    ハウジング
１１    嵌合部
１１１  第１開口
１１２  突部
１１３  第２開口
２０    第１コンタクト
２２    第１接触部
２３    基部
３０    第２コンタクト
３１    基板接続部
３２    第２接触部
４１    ばね片
４１１  第１端部
４１２  第２端部
１００  コネクタ
２００  回路基板
【図１】
2017204352.tif 000003
【図２】
2017204352.tif 000004
【図３】
2017204352.tif 000005
【図４】
2017204352.tif 000006